(57)【要約】本発明は、排ガス処理装置（１）内の排ガス流、及び／又は排ガス処理装置（１）内の表面（２５）を加熱するための電気ヒーター（２）と、添加物が電気ヒーター（２）に衝突するように、排ガス処理装置（１）に添加物を供給する供給ポイント（３）を備える排ガス処理装置（１）を作動する方法に関する。ステップａ）において、添加物が供給ポイント（３）に供給される。ステップｂ）において、堆積物が電気ヒーター（２）に影響を与える可能性のある排ガス処理装置（１）の作動状態（４）が、少なくとも一つの作動変数（５）を用いて決定される。ステップｃ）において、ステップｂ）で決定された作動状態（４）が所定の作動状態範囲（７）にあるときに、作動状態（４）に従って周期周波数（６）が決定される。ステップｄ）において、ステップｂ）で決定された作動状態（４）が所定の作動状態範囲（７）にあるときに、決定された周期周波数（６）を用いて電気ヒーター（２）の計時された起動及び停止が行われる。【選択図】図１
2015508864.tif 000002
【特許請求の範囲】
【請求項１】
排ガス処理装置（１）内の少なくとも一つの排ガス流又は表面（２５）を加熱する電気ヒーター（２）と、添加物が前記電気ヒーター（２）に衝突するように、前記排ガス処理装置（１）に前記添加物を供給する供給ポイント（３）と、を有する排ガス処理装置（１）を作動する方法であって、以下のステップ：
ａ）  前記供給ポイント（３）で添加物を供給するステップ；
ｂ）  少なくとも一つの状態変数（５）に基づいて、前記電気ヒーター（２）に堆積物が形成され得る前記排ガス処理装置（１）の作動状態（４）を特定するステップ；
ｃ）  ステップｂ）で特定された前記作動状態（４）が所定の作動状態範囲（７）にある場合に、前記作動状態（４）の関数として周期周波数（６）を設定するステップ；
ｄ）  ステップｂ）で特定された前記作動状態（４）が前記所定の作動状態範囲（７）にある場合に、前記設定された周期周波数（６）で周期的に電気ヒーター（２）を起動及び停止するステップ、
を含む、ことを特徴とする方法。
【請求項２】
前記ヒーター（２）が、電気的に加熱可能なハニカム体（８）を備える、ことを特徴とする請求項１に記載の方法。
【請求項３】
前記添加物が還元剤であり、少なくとも一つのＳＣＲ触媒（１０）が排ガス処理装置（１）内で、排ガス流方向（９）から見て前記供給ポイント（３）の下流に配置される、ことを特徴とする請求項１又は２に記載の方法。
【請求項４】
ステップｂ）において、前記作動状態（４）を特定するために、少なくとも一つの以下の状態変数（５）：
少なくとも一つの温度；
前記供給ポイント（３）を通って前記排ガス処理装置（１）に入る前記添加物の質量流量；及び
前記排ガス処理装置（１）内の前記排ガス流の質量流量；
が用いられる、ことを特徴とする請求項１から３のいずれかに記載の方法。
【請求項５】
ステップｃ）において、前記周期周波数（６）だけでなく、前記周期周波数（６）の各々の周期長さ（１２）の間に前記ヒーター（２）が作動される加熱期間（１１）を設定する、ことを特徴とする請求項１から４のいずれかに記載の方法。
【請求項６】
前記排ガス処理装置（１）の作動時間（１３）の２０パーセント以下の間、前記ヒーター（２）が起動され、その間において前記排ガス処理装置（１）の前記作動状態（４）が前記所定の作動状態範囲（７）にあるように前記周期周波数（６）が選択される、ことを特徴とする請求項１から５のいずれかに記載の方法。
【請求項７】
前記排ガス処理装置（１）内の排ガス流の温度が、前記ヒーター（２）の周期的作動の結果として、５０℃以下上昇させられる、ことを特徴とする請求項１から６のいずれかに記載の方法。
【請求項８】
前記排ガス処理装置（１）を通る排ガス流方向（９）から見て、前記供給ポイント（３）が前記ヒーター（２）の上流に配置され、前記添加物が前記排ガス流方向（９）に供給される、ことを特徴とする請求項１から７のいずれかに記載の方法。
【請求項９】
前記排ガス処理装置（１）内を通る排ガス流方向（９）から見て、前記供給ポイント（３）が前記ヒーター（２）の下流に配置され、前記添加物が前記排ガス流方向（９）とは反対に供給される、ことを特徴とする請求項１から７のいずれかに記載の方法。
【請求項１０】
ステップａ）における前記添加物の供給が、少なくとも一つの所定の注入時間（２６）に行われ、前記少なくとも一つの所定の注入時間（２６）が、少なくとも前記ヒーター（２）の起動の前記周期周波数（６）に適合される、ことを特徴とする請求項１から９のいずれかに記載の方法。
【請求項１１】
内燃機関（１５）と、前記内燃機関（１５）の排ガスの浄化のための排ガス処理装置（１）と、請求項１から１０のいずれかに記載の方法に従って前記排ガス処理装置（１）を作動するように設計され、構成された制御ユニット（１６）と、を有することを特徴とする自動車（１４）。
【発明の詳細な説明】
【技術分野】
【０００１】
本発明は、排ガス処理装置内の排ガス流を加熱するためのヒーターを有する排ガス処理装置を作動する方法に関する。さらに、排ガス処理装置に供給ポイントが設けられ、その供給ポイントで排ガス処理装置に添加物が供給され得る。
【背景技術】
【０００２】
排ガス浄化のための添加物が供給される排ガス処理装置は、とりわけ自動車分野において広く用いられている。そのような排ガス処理装置の例は、その中で選択的触媒還元処理（ＳＣＲ処理）が行われる排ガス処理装置である。上記の処理において、排ガス内の酸化窒素化合物が、還元剤（添加物として排ガスに供給される）の助けを借りて浄化される。さらに、添加物が供給される排ガス処理装置は、触媒上で燃焼させられて排ガスの温度を上昇させるための炭化水素（特に燃料）が供給される排ガス処理装置である。そのようにして、ある熱的に活性な変換反応が、排ガス処理装置内（特に、フィルター内）で起こることを達成することが可能である。
【発明の概要】
【発明が解決しようとする課題】
【０００３】
排ガス流を加熱するためのヒーターは、排ガス及び／又は排ガス成分によって汚染され、又はさらに詰まらされることがあることが分かっている。これはまず、排ガス処理装置のヒーターによる、排ガスに対する流れ抵抗を増加させる。さらに、加熱装置の加熱能力は、ヒーター上の堆積物のために排ガスの十分な加熱が不可能となるため、悪影響を受ける。
【０００４】
これを出発点として、本発明の目的は、上記の技術的問題を解決する、又は少なくとも減らすことである。電気ヒーターを有する排ガス処理装置を作動する特に有利な方法を提案することが、特に試みられる。
【課題を解決するための手段】
【０００５】
上記の目的は、請求項１の特徴に従う方法によって達成される。さらに、その方法の有利な実施形態が、従属請求項で特定される。請求項で個々に特定される特徴は、いかなる技術的に意味のある望ましいやり方で互いに組み合わされてもよく、強調される本発明のさらなる実施形態とともに、明細書の説明的な事実によって補足されてもよい。
【０００６】
本発明は、排ガス処理装置内の少なくとも一つの排ガス流又は表面を加熱する電気ヒーターと、添加物が電気ヒーターに衝突するように、排ガス処理装置に添加物を供給する供給ポイントと、を有する排ガス処理装置を作動する方法であって、以下のステップ：
ａ）  供給ポイントで添加物を供給するステップ；
ｂ）  少なくとも一つの状態変数に基づいて、電気ヒーターに堆積物が形成され得る排ガス処理装置の作動状態を特定するステップ；
ｃ）  ステップｂ）で特定された作動状態が所定の作動状態範囲にある場合に、作動状態の関数として周期周波数を設定するステップ；
ｄ）  ステップｂ）で特定された作動状態が所定の作動状態範囲にある場合に、設定された周期周波数で周期的に電気ヒーターを起動及び停止するステップ、
を含む、方法である。
排ガス処理装置は、通常は、内燃機関の排ガスの浄化に役立つ。この目的のため、排ガス処理装置は、内燃機関に接続される。
【０００７】
電気ヒーターは、好ましくは、特に自動車の搭載電気システムから供給される電流で作動される。ヒーターは、好ましくは、排ガス処理装置内で排ガス流がその周りを流れることができる電気加熱体を有し、この電気加熱体は、加熱の間に発生した熱を排ガス流に放出することができる。本方法の実施形態において、ヒーターは、排ガス処理装置内の排ガス流を加熱するのに役立つ。さらなる実施形態において、ヒーターは、排ガス処理装置内の表面を加熱するのに役立つ。上記の表面は、好ましくは排ガス流と接触し、例えば、ハニカム体の表面であってもよい。上記の表面は、ヒーター自体の表面であってもよい。本方法の一つの好ましい実施形態において、ヒーターは、排ガス流と表面の両方を加熱するのに役立つ。供給ポイントは、例えば、それによって排ガス処理装置に供給される添加物の量を制御することができるバルブ及び／又は注入器を備えてもよい。
【０００８】
上記の方法において、まず添加物の供給が供給ポイントで行われる。添加物の供給は、好ましくは、排ガス流の加熱と独立して行われる。添加物は、好ましくは、排ガス処理装置に設けられる排ガス浄化要素（例えば、ＳＣＲ触媒、酸化触媒、又は吸収体）に必要な量だけ供給される。
【０００９】
ステップｂ）において、特に排ガス処理装置の様々な作動パラメータから算出された値が、作動状態として特定され、又は様々な作動パラメータから構成されているパラメータの組が作動状態として特定される。これは、例えば排ガス処理装置で測定された作動パラメータに基づいて、例えば温度に基づいて行われてもよい。例えば、排ガス自体の温度が用いられてもよく、又は排ガスを導く排気ラインの温度が用いられてもよい。そのような温度は、排ガスの温度の代表である。排ガス処理装置の作動パラメータはまた、作動状態を算出するために、排ガス処理装置に接続された内燃機関の様々な作動変数から算出することが可能である。例えば、内燃機関によって燃焼される空気又は燃料の質量から、排ガス処理装置を通る質量流量を算出することができ、これはステップｂ）の作動状態として用いることができる。
【００１０】
ステップｃ）において、ステップｂ）で特定された作動状態が、所定の作動状態範囲と比較される。作動状態範囲は、所定の作動状態範囲がその間にある、ある作動状態限度を有する。ステップｂ）で特定された作動状態が、上記の作動状態限度の中にある場合には、ステップｂ）で特定された作動状態は、所定の作動状態範囲にある。所定の作動状態範囲は、好ましくは、両側で制限値によって制限され、片側で開いていない。
【００１１】
本発明の単純な実施形態において、作動状態は、排ガス処理装置で測定された温度であり、作動状態範囲は、所定の温度範囲である。例えば、作動状態範囲は、１００℃で始まり１８０℃で終わってもよい。そのとき、測定された温度が特定の温度範囲にあれば、作動状態は所定の作動状態範囲にある。
【００１２】
好ましくは、作動状態範囲を特徴付ける作動パラメータから、所定の計算式に従って、周期周波数が算出される。作動状態が単に排ガス処理装置で測定された温度である本発明に係る方法の実施形態において、周期周波数は、例えば、温度の関数として定義されてもよい。
【００１３】
ステップｄ）において、ステップｂ）で特定された（現在の／近い将来の）作動状態と所定の作動状態範囲との比較は、好ましくは、ステップｃ）と同様に行われる。電流で作動されるヒーターの場合、ヒーターの起動及び停止は、ヒーターを流れる電流の起動及び停止によって実現される。ステップｃ）で定義される周期周波数は、好ましくは、反復速度（例えば、ヘルツで特定される）によって特徴付けられる。反復速度は、例えば、１キロヘルツ（１秒当たり１０００回）から０．００１ヘルツ（１０００秒ごとに１回）の間であってよい。４ヘルツ（０．２５秒ごと）から０．５ヘルツ（２秒ごと）の間の反復速度が、特に好ましい。０．０５ヘルツ（２０秒ごと）から０．００５ヘルツ（２００秒ごと）の間の反復速度も、また好ましい。ここで特定される反復速度は、特に内燃機関が低負荷範囲で作動されているときに適用される。周期周波数は、好ましくは、ステップｃ）において、排ガス処理装置のアンモニア貯蔵部位の貯蔵モデルに基づいて設定される。アンモニア貯蔵部位は、好ましくは、例えばＳＣＲ触媒に形成され得る貯蔵被膜の形態である。貯蔵モデルは、データ処理装置に記憶され、アンモニア貯蔵部位に貯蔵されたアンモニアの量の評価を可能にするようにしてもよい。貯蔵モデルによって、例えば、アンモニア貯蔵部位の温度と供給される液体添加物の量を、貯蔵されたアンモニアの量を決定するためのパラメータとして使用することが可能となる。貯蔵されたアンモニアの量を決定するために、さらなるパラメータを考慮に入れることもさらに可能である。
【００１４】
所定の作動状態範囲は、好ましくは、さらなる量の堆積物がヒーター上に形成される作動状態範囲である。この作動状態範囲は、例えば、添加物の望ましい変換反応が行われるか又は行われ始めるが、完全には行われず、そのようにして残留物がヒーター上に形成される作動状態範囲である。そのとき、ヒーター上の添加物の堆積物又は残留物が変換及び／又は燃焼されるように、ヒーターを周期的なやり方で作動させることが有利であることが分かっている。これは、ヒーターの周期的な作動によって、特に小さなエネルギー支出で実現することができる。
【００１５】
堆積物が形成される表面をヒーターで直接加熱すれば、特に有利である。なぜなら、そのとき上記の表面の堆積物を、特に効果的なやり方で変換及び／燃焼させることができるからである。
【００１６】
本方法は、ヒーターが電気的に加熱可能なハニカム体を備えると、特に有利である。上記のタイプのハニカム体は、例えば、排ガスが通ることのできる多数のダクトを有する。上記のタイプの加熱ハニカム体は、特に機械的に安定であり、とりわけ排ガス処理装置に延びる加熱ワイヤから形成されるヒーターよりもはるかに安定である。さらに、上記のタイプのハニカム体は、ハニカム体から排ガスに放出することのできる熱が通過する、特に大きな表面積を有する。上記のタイプのハニカム体が、比較的容易に詰まる可能性のある非常に小さなダクトを有することが問題となる可能性がある。そのとき、上記のダクトは、上記の方法によってきれいにされる（又は堆積物が取り除かれる）ことができる。加熱ハニカム体は、活性被膜によって少なくとも部分的に被覆されてもよい。活性被膜は、排ガス又は添加物の成分を変換及び／又は蓄積することができる。
【００１７】
本方法は、添加物が還元剤であり、少なくとも一つのＳＣＲ触媒が排ガス処理装置内で、排ガス流方向から見て供給ポイントの下流に配置されると、さらに有利である。
【００１８】
本発明に係る方法に従って作動することができる排ガス処理装置は、ヒーターだけでなく、好ましくは例えば、ＳＣＲ触媒、貯蔵触媒、酸化触媒及び／又は吸収体を備える。
【００１９】
選択的触媒還元の処理は、ＳＣＲ触媒で行われる。そのとき、還元剤、好ましくは液体尿素水溶液が、添加物として供給される。選択的触媒還元の還元剤として用いられる典型的な添加物は、商品名ＡｄＢｌｕｅ（登録商標）として入手可能な３２．５％の尿素水溶液である。そのような溶液は、温度が溶液をアンモニアに部分的に変換するのにだけ十分な場合、及び特に溶液を完全に蒸発させるのに十分でない場合に、特に固く付着した堆積物を形成する。そのとき、溶液からの尿素のいくらかは排ガス処理装置内で、蒸発していない液体還元剤が衝突した表面上に堆積物として残る。選択的触媒還元のためのアンモニアは、一時的に貯蔵触媒に貯蔵されることができる。貯蔵触媒とＳＣＲ触媒は、一緒に一つのハニカム体として実現されてもよく、そこでハニカム体は、アンモニア貯蔵成分と、また選択的触媒還元を促進する成分を有する被膜を有する。
【００２０】
さらなる実施形態において、排ガス処理装置は、酸化触媒及び／又は吸収体を備える。排ガス処理装置で、酸化触媒及び／又は吸収体が用いられる場合には、炭化水素、特に燃料（又は接続された内燃機関で用いられる燃料）が添加物として供給されることが好ましい。炭化水素によって、排ガス処理装置内の温度が上昇する。この目的のため、炭化水素が、この目的のために設けられた触媒（好ましくは、白金触媒）上で燃焼される。上昇した温度の結果として、酸化触媒におけるある変換反応を活性化することができ、及び／又は吸収体から蓄積された排ガス成分を取り除くことが可能となる。吸収体は、特に内燃機関の冷えた始動の間、内燃機関によって生成された汚染物質を少なくとも一時的に蓄積する役割を持つ。これは、特に冷えた始動の間で排ガス処理装置の温度がいまだ低く、従って排ガス処理装置内である変換反応をまだ行うことができないときに、有利である。その後、排ガス処理装置の温度がある閾値温度以上に上昇したときに、吸収体に蓄積された汚染物質が放出／変換される。
【００２１】
吸収体、酸化触媒、ＳＣＲ触媒、及び／又は貯蔵触媒のための被膜はまた、電気的に加熱可能なハニカム体上に、少なくとも部分的に設けられてもよい。
【００２２】
本方法は、ステップｂ）において、作動状態を特定するために、少なくとも一つの以下の状態変数：
少なくとも一つの温度；
供給ポイントを通って排ガス処理装置に入る添加物の質量流量；及び
排ガス処理装置内の排ガス流の質量流量；
が用いられると、さらに有利である。
【００２３】
温度は、例えば、排ガス処理装置内で測定された温度、及び／又は排ガス処理装置の壁の温度であってよい。添加物が変換される変換反応は温度に大きく依存し、従って堆積物の構造はまた温度に依存するため、この温度は堆積物の構造と特に関係がある。添加物の質量流量は、ヒーター上に堆積物が形成される速度、及び上記の堆積物の量を実質的に決定する。例えば、添加物の質量流量が増加した場合に、周期周波数を増加させるのが有利かもしれない。質量流量は、堆積物に浸食作用を与える。従ってまた、排ガス処理装置内の排ガス流の質量流量を、本方法のために考慮に入れるのが有利である。上記の３つのパラメータのすべてを、本方法のために用いるのが特に好ましい。
【００２４】
上記の方法はまた、ステップｃ）において、周期周波数だけでなく、周期周波数の各々の周期長さの間にヒーターが作動される加熱期間を設定すると有利である。加熱期間は、好ましくは加熱継続時間によって特徴付けられる。加熱期間は、例えば、長さにして１ミリ秒から２０秒の間であってよい。ヒーターの作動の周期周波数が、４ヘルツから０．５ヘルツの間、又は０．０５ヘルツから０．００５ヘルツの間（従って、それぞれ周期長さが、０．２５秒から２秒の間、又は２０秒から２００秒の間）の好ましい範囲にある場合、加熱期間は、しかし、好ましくは長さにして１秒から２０秒の間である。
【００２５】
そのような加熱期間は、効果的なやり方でヒーター上の堆積物を取り除く（又は焼き払う）のに十分である。同時に、排ガス処理装置への熱エネルギーの入力は、比較的低いままである。特に、排ガス温度の大きな上昇が起こらない。加熱期間の調節によって、存在する堆積物を焼き払うのに実際に必要な量の熱エネルギーを、正確に排ガス処理装置に導入することを達成することができる。周期長さは、一つの加熱期間の開始から次の加熱期間の開始までの時間間隔を示し、例えば周期周波数の逆数として決定される。
【００２６】
本発明は、排ガス処理装置の作動時間の２０パーセント以下の間、ヒーターが起動され、その間において排ガス処理装置の作動状態が所定の作動状態範囲にあるように周期周波数が選択されると、さらに有利である。ヒーターは、さらに好ましくは１０パーセント以下、特に好ましくは５パーセント以下の間、起動される。ヒーターが、排ガス処理装置の作動時間の２パーセント以下の間起動されることが、さらに特に好ましい。ここで、特に都市交通における自動車の運転に対して、より高い限度が用いられてもよい。本発明に係る方法によって、好ましくは、作動時間で平均して、排ガス処理装置に５００ワット以下、好ましくは１００ワット以下、特に好ましくは５０ワット以下の加熱電力が導入されることが達成される。そのようにして、本方法の特に省エネルギーな実施を実現することが可能であり、それでもなお、ヒーター上の堆積物は、効果的なやり方で取り除かれる。本方法は、排ガス処理装置内の排ガス流の温度が、ヒーターの周期的作動の結果として、５０℃以下、さらに好ましくは２５℃以下上昇させられると、さらに有利である。本方法は、排ガス処理装置内の排ガス流の温度が、ヒーターの周期的作動の結果として、１５℃以下、好ましくは５℃以下、特に好ましくは２℃以下上昇させられると、さらに有利である。そのような作動時間の少ない部分のみに亘るヒーターの作動と排ガス流の小さな温度上昇によって、本方法の特に省エネルギーの実施を実現することが可能であり、それでもなお、ヒーター上の堆積物は効果的なやり方で取り除かれる。
【００２７】
上記の作動方法は、特にヒーターが、排ガスへの熱移動が減少させられた状態、及び／又は構造であると有利である。ここで、ヒーターは例えば、ヒーターから排ガス流へ少ない量の熱が放出されるように、小さい加熱表面積を有してもよい。また、排ガス流の一部のみがヒーターと熱伝導接触するように、ヒーターの加熱表面又は加熱領域が、排ガス流から少なくとも部分的に遮蔽されることも可能である。ヒーターは、例えば、排ガス処理装置の他の構成要素の流れの陰に配置されてもよい。また、ヒーターは、その表面が排ガスに対して低い熱伝導係数を有する材料から構成されてもよい。
【００２８】
特にこの関連から、液体添加物の供給装置は、液体添加物が可能な限り完全にヒーターに衝突するように配置されることが好ましい。そのようにして、局所的に、及び／又はヒーターのすぐ近傍で、又はヒーターにおいて、ヒーターによる激しい温度上昇が達成され、液体添加物の変換が行われることを達成することができる。そのようにして、ヒーター上の液体添加物の堆積物が、特に効果的なやり方で蒸発され、焼き払われ、及び／又はさらに抑止される。同時に、排ガス流がわずかに加熱されるだけなので、少ない量の熱エネルギーのみが必要となる。
【００２９】
本方法は、排ガス処理装置を通る排ガス流方向から見て、供給ポイントがヒーターの上流に配置され、添加物が排ガス流方向に供給されると、さらに有利である。そのとき、添加物はヒーターに衝突し、そこで好ましくは添加物が、液体形態のままで（蒸発していない状態のままで）ヒーターに衝突する。液体添加物は、好ましくは、液滴形態でヒーターに衝突する。液体添加物が還元剤（特に、尿素水溶液）の場合、ヒーター上で少なくとも部分的に、化学的に変換される。変換生成物は、好ましくはアンモニアである。化学変換が完全に行われない場合（例えば、低い排ガス温度のため）、ヒーター上に堆積物が形成される可能性がある。上記の堆積物は、例えば、結晶性の尿素から構成される。堆積物は、例えば、上記の方法によって浸食及び／又は分解することが可能である。
【００３０】
アンモニアに変換された還元剤は、好ましくは、後に排ガス内の汚染物質の還元に利用するために、貯蔵部位で一時的に貯蔵される。貯蔵部位は例えば、ＳＣＲ触媒内に、被膜として設けられてもよい。被膜は、一時的にアンモニアを拘束する。貯蔵部位が満杯（又は満載）のときに、排ガス処理装置内に追加として存在するアンモニア（又は追加として供給される還元剤）はまた、堆積物を形成する可能性がある。これらの堆積物も、例えば、上記の方法で浸食及び／又は分解することができる。
【００３１】
本方法はまた、排ガス処理装置内を通る排ガス流方向から見て、供給ポイントがヒーターの下流に配置され、添加物が排ガス流方向とは反対に供給されると有利である。液体添加物は、好ましくは、排ガス流とは反対に排ガス処理装置を通ってヒーターに到達するように、供給ポイントで液体添加物を加速するのに十分な圧力で供給される。この設計変形でも、上記の方法で浸食及び／又は分解することのできる堆積物が形成される可能性がある。
【００３２】
本方法は、ステップａ）における添加物の供給が、少なくとも一つの所定の注入時間に行われ、そこで少なくとも一つの所定の注入時間が、少なくともヒーターの起動の周期周波数に適合されると、さらに有利である。少なくとも一つの所定の注入時間はまた、非常に特に好ましくは、ヒーターの起動の周期長さに適合される。
【００３３】
注入時間だけでなく、少なくとも一つの注入継続時間が周期周波数に適合され、適切な場合にはまた、ヒーターの起動の周期長さに適合されることが好ましい。例えば、添加物の供給がヒーターの起動の直前に行われるように、注入時間（及び注入継続時間）を設定することが可能である。適切な場合には、注入継続時間はまた、ヒーターの起動と重なってもよい。そのとき、液体添加物の供給は、ヒーターの起動の周期周波数に対応した周期周波数で行われてもよく、そこで供給手段の個々の作動周期は、ヒーターの作動周期に関してずれている。ここで、一方で、ヒーターのそれぞれの起動に対して、所定の注入時間に添加物の供給が行われるようにしてもよい。他方で、ヒーターの多数の起動に対して、また所定の注入時間に共通の（連続した）添加物の供給が行われるようにしてもよい。この場合、ヒーターの多数の起動とは、周期周波数でのヒーターの多数の作動周期をいう。さらなる実施形態では、液体添加物の供給の後に、ヒーターの起動の連続した組が行われるように、注入時間が設定されてもよい。
【００３４】
注入時間及び／又は注入継続時間は、ヒーターの起動の周期周波数のみに適合されなくてもよい。代わりに、又は追加として、注入時間及び／又は注入継続時間を、またヒーターの起動の周期長さ又は単一の作動周期の間にヒーターが作動する加熱時間に適合することができる。ここで、加熱時間とは、特に周期周波数の単一周期の間にヒーターが作動する継続時間をいう。
【００３５】
注入時間は、例えば、供給ポイントにおける注入器の開口時間に対応し、この注入器によって、排ガス処理装置への液体添加物の供給が制御される。そして、注入継続時間は、特に注入時間に続く期間に対応し、その間注入器が開かれる。注入継続時間に、注入器が再び閉じられる閉口時間が続く。
【００３６】
また、本発明の文脈の範囲内で、内燃機関と、内燃機関の排ガスの浄化のための排ガス処理装置と、上記の方法に従って排ガス処理装置を作動するように設計され、構成された制御ユニットと、を有する自動車が提案される。
【００３７】
図面に基づいて、本発明と技術分野が、以下より詳細に説明される。図面は、特に好ましい例示的な実施形態を示すが、本発明はこれに限定されない。特に、図面及び図示された比率は、単なる概略であることに留意すべきである。
【図面の簡単な説明】
【００３８】
【図１】図１は、排ガス処理装置の第１の実施形態を示す。
【図２】図２は、排ガス処理装置の第２の実施形態を示す。
【図３】図３は、排ガス処理装置の第３の実施形態を示す。
【図４】図４は、排ガス処理装置の第４の実施形態を示す。
【図５】図５は、上記の方法の手順を説明するブロック図を示す。
【図６】図６は、排ガス処理装置の操作を説明する図を示す
【図７】図７は、加熱可能なハニカム体を示す。
【図８】図８は、図６からの修正図を示す。
【発明を実施するための形態】
【００３９】
図１から４は、上記の方法に従って作動することができる排ガス処理装置を示し、その共通の特徴は、ここでまず一緒に説明される。それぞれの図は、内燃機関１５を有する自動車１４内の排ガス処理装置１を示す。排ガス処理装置１は、内燃機関１５によって生成された排ガスを浄化するように構成され、設けられる。排ガスは、排ガス処理装置１を通って排ガス流方向９に流れる。排ガス処理装置１内には、それぞれの場合において、そこを介して添加物を供給することができる供給ポイント３が設けられる。供給ポイント３は、添加物供給器２４によって添加物を供給され、ノズル、バルブ、注入器等を備えてもよい。それぞれの場合において、加熱可能な触媒基板８の形態のヒーター２が、排ガス処理装置１内の排ガスを加熱する目的のため、排ガス処理装置１内に設けられる。ヒーター２は、ヒーター２を（電流の供給によって）起動及び停止することのできる制御ユニット１６によって制御される。
【００４０】
図１及び２によるそれぞれの実施形態において、ＳＣＲ触媒１０が、排ガス処理装置１内の排ガス流方向９から見て供給ポイント３の下流（特にまた、ヒーター２の下流）に設けられ、そのＳＣＲ触媒において、選択的触媒還元の処理を行うことができる。図１及び２によるそれぞれの実施形態において、還元剤、特に尿素水溶液が、添加物として供給される。図１による実施形態において、供給ポイント３は、排ガス流方向９から見てヒーター２の上流に配置される。図２による実施形態において、供給ポイント３は、排ガス流方向９から見てヒーター２の下流に配置される。
【００４１】
図３による実施形態において、吸収体１９（特に、吸収体触媒）が、排ガス処理装置１内の排ガス流方向９から見て供給ポイント３の下流（好ましくはまた、ヒーター２の下流）に設けられ、その吸収体において、内燃機関１５の排ガスに存在するある汚染物質成分を一時的に蓄積することができる。この実施形態において、好ましくは炭化水素（又は特に、燃料）が添加物として供給ポイント３を介して供給される。
【００４２】
図４による実施形態において、酸化触媒２０が、排ガス処理装置１内の排ガス流方向９から見て供給ポイント３の下流（好ましくはまた、ヒーター２の下流）に設けられ、その酸化触媒において、内燃機関１５の排ガスに存在するある汚染物質成分を変換することができる。この実施形態において、炭化水素（及び特に燃料）が添加物として供給ポイント３で供給されるのが好ましく、その炭化水素は、酸化触媒２０の温度を上昇させて、それによって酸化触媒２０内でのある変換反応を活性化するために、排ガス処理装置１内で燃焼されることができる。
【００４３】
図５は、上記の方法の実施形態のフロー図を示す。図は、連続して行われる方法ステップａ）、ｂ）、ｃ）及びｄ）を示す。方法ステップａ）、ｂ）、ｃ）及びｄ）は、ループのように一緒に繰り返してもよい。まず、添加物の供給が、ステップａ）で行われる。ステップａ）における添加物の供給は、それに続く方法ステップｂ）、ｃ）及びｄ）の開始のための必要条件である。上記の方法は、好ましくは、排ガス処理装置への添加物の供給が行われるときはいつも行われる。方法ステップｂ）、ｃ）及びｄ）は、毎回方法ステップａ）が行われるたびに行われる必要はない。例えば、方法ステップは、ヒーター上の堆積物をちょうどよい時に特定でき、本方法によって除去できるような規則性で行われるのが適切である。方法ステップｂ）において、排ガス処理装置の様々な状態変数５から、作動状態４が決定又は算出される。上記の作動状態４は、方法ステップｂ）によって方法ステップｃ）及びｄ）に提供される。方法ステップｃ）において、作動状態４がある作動状態範囲にある場合には、周期周波数６及び加熱期間１１（又は加熱期間長さ）が決定される。周期周波数６及び加熱期間１１は、またステップｄ）に提供される。方法ステップｄ）において、作動状態４がある作動状態範囲にある場合には、排ガス処理装置内のヒーターは、周期周波数６及び加熱期間１１で作動される。
【００４４】
図６は、ここに記載した方法の一つに従う排ガス処理装置１の動作を説明する図を示す。排ガス処理装置１、又は排ガス処理装置１に接続された内燃機関１５の作動時間１３が、水平軸に描かれている。排ガス処理装置１の作動状態４が、鉛直軸に描かれている。また、作動状態範囲７が示されている。作動状態４が、時間間隔１７に亘って作動状態範囲７にある。従って、排ガス処理装置１は、時間間隔１７において上記の方法に従って作動される。ここで、ヒーター２は、周期周波数６及び結果としての周期長さ１２で周期的に作動され、それぞれの周期長さ１２に加熱期間１１が設けられる。ヒーターの影響を図示するために、ヒーター温度１８もまた、図６に描かれている。ヒーター温度１８は、ヒーター２が起動されているときはいつも、ふれを示す。ヒーター温度１８のふれは、特にヒーター２上の堆積物が効果的なやり方で焼き払われ、又は浸食されるような強度となるように選択される。
【００４５】
図７は、加熱可能なハニカム体８の形態のヒーター２を示す。ハニカム体８は、Ｓ字形状であり、排ガスがそこを流れることができるダクト２１を有する。ハニカム体８は、Ｓ字状に巻かれた滑らかで波形の金属層（好ましくは、金属薄片）の集まりから形成されている。機械的に安定させるために、上記のタイプのハニカム体８は、好ましくは、電気的に絶縁された支持ピンによって、支持ハニカム体（ここでは図示せず）の上に支持される。ハニカム体８には、ハニカム体８に加熱電流を導入するための端子２３が設けられる。ハニカム体８は、隙間として又は絶縁材料で形成された絶縁体２２を有し、その絶縁体は、ハニカム体８を通る電流経路を事前に定義し、その絶縁体を介して端子２３が互いに接続される。上記のタイプの加熱可能なハニカム体８の構成は、例えば、欧州特許  ＥＰ  ０  ５４１  ５８５  Ｂ１  に記載されており、その開示の全内容はここで参照される。触媒基板８のダクト２１が堆積物によって詰まらされた場合、より少ない排ガスが流れる。これは、排ガス処理装置１の上昇された背圧をもたらし、ハニカム体８による排ガス流の効果的な加熱が妨げられる。加熱可能なハニカム体８は、加熱可能なハニカム体８が作動しているときに加熱される表面２５を有する。
【００４６】
図８は、図６からの修正図を示す。図６に関して既に説明した参照符号が、図８において再度用いられており、従って再度説明する必要はない。液体添加物の供給が、図８に追加として示されている。液体添加物の供給が、注入時間２６のそれぞれの場合に、注入継続時間２７で行われる。注入時間２６及び注入継続時間２７は、ヒーターの作動に、及び特にヒーターの作動の周期周波数６に、周期長さ１２に、及び／又はヒーターの加熱時間１１に適合されてもよい。
【００４７】
上記の方法は、過度に多量の熱エネルギーを用いる必要なく、効果的なやり方でヒーター２上の堆積物を抑止する又は取り除くように、排ガス処理装置１内のヒーターを作動することを可能にする。
【符号の説明】
【００４８】
１  排ガス処理装置
２  ヒーター
３  供給ポイント
４  作動状態
５  状態変数
６  周期周波数
７  作動状態範囲
８  ハニカム体
９  排ガス流方向
１０  ＳＣＲ触媒
１１  加熱期間
１２  周期長さ
１３  作動時間
１４  自動車
１５  内燃機関
１６  制御ユニット
１７  時間間隔
１８  ヒーター温度
１９  吸収体
２０  酸化触媒
２１  ダクト
２２  絶縁体
２３  端子
２４  添加物供給器
２５  表面
２６  注入時間
２７  注入継続時間
【図１】
2015508864.tif 000003
【図２】
2015508864.tif 000004
【図３】
2015508864.tif 000005
【図４】
2015508864.tif 000006
【図５】
2015508864.tif 000007
【図６】
2015508864.tif 000008
【図７】
2015508864.tif 000009
【図８】
2015508864.tif 000010
【国際調査報告】
2015508864.tif 000011
2015508864.tif 000012
2015508864.tif 000013
2015508864.tif 000014